(57)【要約】      （修正有）【課題】ドアを閉める際にシール部材に可能な限り悪影響を与えないようにして、シール部材のシール性能の低下防止を図るヒンジ装置及びドア構造を提供する。【解決手段】ドア枠１に取付けられる一方ヒンジ片１０と一方ヒンジ片１０に対して回動可能に設けられドア４に取付けられる他方ヒンジ片２０とを備えたヒンジ装置Ｈにおいて、一方ヒンジ片１０がドア枠１に取付けられ他方ヒンジ片２０がドア４に取付けられた際、上から見て、一方ヒンジ片１０の軸体１２及び他方ヒンジ片２０の軸受体２３の回転中心Ｑが、一方ヒンジ片１０の一方取付板１１における面方向の一方中心線Ｐ１よりもドア枠１の見付け面２がある側に位置するように、軸体１２を一方取付板１１に設けるとともに軸受体２２を他方取付板２１に設けた。【選択図】図２
0003235352.tif 000002
【実用新案登録請求の範囲】
【請求項１】
見付け面及び見込み面を有するドア枠に対してドアを開閉可能且つ該ドアの閉時に上記ドア枠の見込み面に上記ドアの側端面が対面するように支持するヒンジ装置において、
上記ドア枠に取付けられる一方ヒンジ片と該一方ヒンジ片に対して回動可能に設けられ上記ドアに取付けられる他方ヒンジ片とを備え、
上記一方ヒンジ片を、上記ドア枠の見込み面に取付けられる一方取付板と、該一方取付板が取付けられた際上記ドア枠の見付け面側の一側縁に該見付け面より外側に位置して上側に突設される軸体とを備えて構成し、
上記他方ヒンジ片を、上記ドアの側端面に取付けられる他方取付板と、該他方取付板が取付けられた際上記ドア枠の見付け面側の一側縁に設けられ該見付け面より外側に位置して上記一方ヒンジ片の軸体が回動可能に挿通される挿通孔が形成された軸受体とを備えて構成し、
上記一方ヒンジ片が上記ドア枠に取付けられ上記他方ヒンジ片が上記ドアに取付けられた際、上から見て、上記一方ヒンジ片の軸体及び上記他方ヒンジ片の軸受体の回転中心が、上記一方ヒンジ片の一方取付板における面方向の一方中心線よりも上記ドア枠の見付け面がある側に位置するように、上記軸体を上記一方取付板に設けるとともに上記軸受体を他方取付板に設けたことを特徴とするヒンジ装置。
【請求項２】
上から見て、上記一方中心線に直交する方向の該一方中心線から上記回転中心までの距離Ｄを、Ｄ＝１０ｍｍ以上にしたことを特徴とする請求項１記載のヒンジ装置。
【請求項３】
上記一方ヒンジ片の一方取付板及び上記他方ヒンジ片の他方取付板は、互いに厚さが同じに形成されているとともに、これらが上記ドアに取付けられた際の上記ドアの閉時に、上から見て、上記一方取付板の一方中心線と上記他方ヒンジ片の他方取付板における面方向の他方中心線とが重畳するように形成されていることを特徴とする請求項１または２記載のヒンジ装置。
【請求項４】
上記軸受体の挿通孔に雌ネジを形成し、該雌ネジに螺合される雄ネジを有するとともに該雄ネジの螺合により上記軸体の先端に当接する先端部を備え、該雄ネジの螺合による先端部の位置により上記一方ヒンジ片に対する上記他方ヒンジ片の上下方向位置を調整可能にする調整ネジを設けたことを特徴とする請求項１乃至３何れかに記載のヒンジ装置。
【請求項５】
上記軸体の先端を円弧状の凸面に形成し、上記調整ネジの先端部を軸方向に直交する平面に形成したことを特徴とする請求項４記載のヒンジ装置。
【請求項６】
上記調整ネジを押圧してロックするためのロックネジを備え、上記軸受体を構成する壁部に、上記雌ネジの中心線に直交する軸線を有し上記ロックネジが螺合する雌ネジを形成したことを特徴とする請求項４または５記載のヒンジ装置。
【請求項７】
見付け面及び見込み面を有するドア枠に、ドアを開閉可能且つ該ドアの閉時に上記ドア枠の見込み面に上記ドアの側端面が対面するように、ヒンジ装置により支持し、上記ドア枠の見込み面に、上記ドアの閉時に該ドアの内周面が弾接するシール部材を設けたドア構造において、上記請求項１乃至６何れかに記載のヒンジ装置を用いたことを特徴とするドア構造。
【考案の詳細な説明】
【技術分野】
【０００１】
本考案は、ドアの開閉に用いられるヒンジ装置に係り、特に、密閉性の良いシール構造を備えたドア構造に有用なヒンジ装置に関する。また、このヒンジ装置を用いたドア構造に関する。
【背景技術】
【０００２】
従来、この種のヒンジ装置を備えたドア構造としては、例えば、特開２００９−２８０９５４号公報（特許文献１）に記載されたものが知られている。図４及び図５に示すように、このドア構造Ｋａは、見付け面２及び見込み面３を有するドア枠１に、ドア４を開閉可能且つドア４の閉時にドア枠１の見込み面３にドア４の側端面５が対面するように、ヒンジ装置Ｈａにより支持する。また、本ドア構造Ｋａにおいては、ドア枠１の見込み面３には、ドア４の閉時にドア４の内周面が弾接するシール部材６が設けられている。
【０００３】
ヒンジ装置Ｈａは、ドア枠１に取付けられる一方ヒンジ片１００と一方ヒンジ片１００に対して回動可能に設けられドア４に取付けられる他方ヒンジ片２００とを備えて構成されている。一方ヒンジ片１００は、ドア枠１の見込み面３に取付けられる矩形の一方取付板１０１と、一方取付板１０１が取付けられた際、ドア枠１の見付け面２側の一側縁にこの見付け面２より外側に位置して上側に突設される軸体１０２とを備えて構成されている。他方ヒンジ片２００は、ドア４の側端面５に取付けられる矩形状の他方取付板２０１と、他方取付板２０１が取付けられた際、ドア枠１の見付け面２側の一側縁に設けられこの見付け面２より外側に位置して一方ヒンジ片１００の軸体１０２が回動可能に挿通される挿通孔２０２が形成された軸受体２０３とを備えて構成されている。一方取付板１０１及び他方取付板２０１は、これらがドア４に取付けられた際のドア４の閉時に、上から見て、一方取付板１０１の一方中心線Ｐ１と、他方ヒンジ片２００の他方取付板２０１における面方向の他方中心線Ｐ２とが重畳するように形成されている。
【０００４】
また、軸体１０２及び軸受体２０３は、一方ヒンジ片１００がドア枠１に取付けられ他方ヒンジ片２００がドア４に取付けられた際、上から見て、一方ヒンジ片１００の軸体１０２及び他方ヒンジ片２００の軸受体２０３の回転中心Ｑａが、一方ヒンジ片１００の一方取付板１０１における面方向の一方中心線Ｐ１上に位置するように設けられている。そして、図４に示すように、ドア４を開いた状態から閉じると、ドア４の内周面がシール部材６に弾接し、密閉性が確保されるようにしている。
【先行技術文献】
【特許文献】
【０００５】
【特許文献１】特開２００９−２８０９５４号公報
【考案の概要】
【考案が解決しようとする課題】
【０００６】
ところで、上記従来のヒンジ装置Ｈａ及びこれを用いたドア構造Ｋａにあっては、図４に示すように、上から見て、ドア４を開いた状態から閉じる際に、ドア４の側端面５のあるドア４の内周面側のコーナ部Ｃが、一方中心線Ｐ１上の回転中心Ｑａを中心にした円弧に沿って移動し、シール部材６に当接しながら摺接するが、このコーナ部Ｃがシール部材６に当接する際、ドア４を閉じた際のドア４の内面に沿う線Ｓに対してコーナ部Ｃの回転中心Ｑａを中心として回動する回転軌跡Ｔａの角度が比較的浅くなって、このコーナー部Ｃがシール部材６の側面を押してこじるように作用することがあり、そのため、シール部材６のシール性能を低下させ、耐久性にも悪影響を及ぼすという問題があった。
【０００７】
本考案は上記の問題点に鑑みて為されたもので、ドアを閉める際にシール部材に可能な限り悪影響を与えないようにして、シール部材のシール性能の低下防止を図ったヒンジ装置及びドア構造を提供することを目的とする。
【課題を解決するための手段】
【０００８】
このような目的を達成するための本考案のヒンジ装置は、見付け面及び見込み面を有するドア枠に対してドアを開閉可能且つ該ドアの閉時に上記ドア枠の見込み面に上記ドアの側端面が対面するように支持するヒンジ装置において、
上記ドア枠に取付けられる一方ヒンジ片と該一方ヒンジ片に対して回動可能に設けられ上記ドアに取付けられる他方ヒンジ片とを備え、
上記一方ヒンジ片を、上記ドア枠の見込み面に取付けられる一方取付板と、該一方取付板が取付けられた際上記ドア枠の見付け面側の一側縁に該見付け面より外側に位置して上側に突設される軸体とを備えて構成し、
上記他方ヒンジ片を、上記ドアの側端面に取付けられる他方取付板と、該他方取付板が取付けられた際上記ドア枠の見付け面側の一側縁に設けられ該見付け面より外側に位置して上記一方ヒンジ片の軸体が回動可能に挿通される挿通孔が形成された軸受体とを備えて構成し、
上記一方ヒンジ片が上記ドア枠に取付けられ上記他方ヒンジ片が上記ドアに取付けられた際、上から見て、上記一方ヒンジ片の軸体及び上記他方ヒンジ片の軸受体の回転中心が、上記一方ヒンジ片の一方取付板における面方向の一方中心線よりも上記ドア枠の見付け面がある側に位置するように、上記軸体を上記一方取付板に設けるとともに上記軸受体を他方取付板に設けた構成としている。
【０００９】
このヒンジ装置は、例えば、ドアの閉時にドアの内周面が弾接するシール部材を設け、遮音性を確保するようにしたドア構造に用いる場合に有効になる。このドア構造は、見付け面及び見込み面を有するドア枠に、ドアを開閉可能且つドアの閉時にドア枠の見込み面にドアの側端面が対面するように、ヒンジ装置により支持し、ドア枠の見込み面に、ドアの閉時にドアの内周面が弾接するシール部材を設けて構成されている。
【００１０】
そして、このヒンジ装置を用いたドア構造において、ドアを開いた状態から閉じる際には、ドアの側端面のあるドアの内周面側のコーナ部が、軸体及び軸受体の回転中心を中心にした円弧に沿って移動し、シール部材に当接しながら摺接するが、従来の一方中心線上に回転中心があるものに比較して、回転中心が一方中心線よりもドア枠の見付け面がある側に位置しているので、このコーナ部がシール部材に当接する際、ドアを閉じた際のドアの内面に沿う線に対してコーナ部の回転中心を中心として回動する回転軌跡の角度が比較的大きくなることから、シール部材の側面を押してこじるように作用する事態を防止することができる。そのため、シール部材に可能な限り悪影響を与えないようにして、シール部材のシール性能の低下防止を図り、耐久性を保持することができるようになる。
【００１１】
この場合、上から見て、上記一方中心線に直交する方向の該一方中心線から上記回転中心までの距離Ｄを、Ｄ＝１０ｍｍ以上にしたことが有効である。
従来と略同等の大きさのヒンジ装置においては、この範囲で適正な作用，効果を奏することができる。
【００１２】
また、本考案においては、上記一方ヒンジ片の一方取付板及び上記他方ヒンジ片の他方取付板は、互いに厚さが同じに形成されているとともに、これらが上記ドアに取付けられた際の上記ドアの閉時に、上から見て、上記一方取付板の一方中心線と上記他方ヒンジ片の他方取付板における面方向の他方中心線とが重畳するように形成されている構成にすることができる。この構成において、本考案の作用，効果を確実に発揮させることができる。
【００１３】
そして、必要に応じ、上記軸受体の挿通孔に雌ネジを形成し、該雌ネジに螺合される雄ネジを有するとともに該雄ネジの螺合により上記軸体の先端に当接する先端部を備え、該雄ネジの螺合による先端部の位置により上記一方ヒンジ片に対する上記他方ヒンジ片の上下方向位置を調整可能にする調整ネジを設けた構成としている。
【００１４】
これにより、調整ネジを雌ネジに対してねじ込みあるいは緩めると、軸体の先端が調整ネジの先端部に当接しているので、一方ヒンジ片に対する他方ヒンジ片の上下方向位置を変えることができる。そのため、ドアをドア枠の適正位置に位置決めでき、ヒンジ装置の機能性を向上させることができる。
【００１５】
この場合、上記軸体の先端を円弧状の凸面に形成し、上記調整ネジの先端部を軸方向に直交する平面に形成したことが有効である。軸体の先端が調整ネジの先端部の平面に点接触するので、回転が軽くなって円滑に行われ、耐久性も向上させることができる。
【００１６】
また、上記調整ネジを押圧してロックするためのロックネジを備え、上記軸受体を構成する壁部に、上記雌ネジの中心線に直交する軸線を有し上記ロックネジが螺合する雌ネジを形成したことが有効である。ロックネジにより調整ネジをロックするので、緩みを防止することができ、一方ヒンジ片に対する他方ヒンジ片の上下方向位置の設定を確実に保持することができる。
【００１７】
また、上記目的を達成するための本考案のドア構造は、見付け面及び見込み面を有するドア枠に、ドアを開閉可能且つ該ドアの閉時に上記ドア枠の見込み面に上記ドアの側端面が対面するように、ヒンジ装置により支持し、上記ドア枠の見込み面に、上記ドアの閉時に該ドアの内周面が弾接するシール部材を設けたドア構造において、上記のヒンジ装置を用いた構成としている。上記と同様の作用，効果を奏する。
【図面の簡単な説明】
【００１８】
【図１】本考案の実施の形態に係るヒンジ装置及びドア構造を示す平面図である。
【図２】本考案の実施の形態に係るヒンジ装置及びドア構造を示す斜視図である。
【図３】本考案の実施の形態に係るヒンジ装置を示す縦断面図である。
【図４】従来のヒンジ装置及びドア構造の一例を示す平面図である。
【図５】従来のヒンジ装置及びドア構造の一例を示す斜視図である。
【考案を実施するための形態】
【００１９】
以下、添付図面に基づいて、本考案の実施の形態に係るヒンジ装置及びドア構造について詳細に説明する。尚、上記と同様のものには同一の符号を付して説明する。図１乃至図３に示すように、本考案の実施の形態に係るドア構造Ｋは、見付け面２及び見込み面３を有するドア枠１に、ドア４を開閉可能且つドア４の閉時にドア枠１の見込み面３にドア４の側端面５が対面するように、本考案の実施の形態に係るヒンジ装置Ｈにより支持する。また、本ドア構造Ｋにおいては、ドア枠１の見込み面３には、ドア４の閉時にドア４の内周面が弾接するシール部材６が設けられている。
【００２０】
本考案の実施の形態に係るヒンジ装置Ｈは、ドア枠１に取付けられる一方ヒンジ片１０と一方ヒンジ片１０に対して回動可能に設けられドア４に取付けられる他方ヒンジ片２０とを備えて構成されている。一方ヒンジ片１０は、ドア枠１の見込み面３に取付けられる矩形の一方取付板１１と、一方取付板１１が取付けられた際、ドア枠１の見付け面２側の一側縁にこの見付け面２より外側に位置して上側に突設される軸体１２とを備えて構成されている。一方取付板１１には、ドア枠１の見付け面２に取付けるためのビス１３が挿通される取付穴１４が行列状に複数（実施の形態では６つ）形成されている。軸体１２は、ドア枠１の見付け面２側の一側縁に一体に形成された円柱状の支持体１５の上面に突設形成されている。軸体１２の直径は支持体１５の直径より小径に形成されているとともに、後述の軸受体２３の挿通孔２２の全長よりも短く形成されている。
【００２１】
他方ヒンジ片２０は、ドア４の側端面５に取付けられる矩形状の他方取付板２１と、他方取付板２１が取付けられた際、ドア枠１の見付け面２側の一側縁に設けられこの見付け面２より外側に位置して一方ヒンジ片１０の軸体１２が回動可能に挿通される挿通孔２２が形成された軸受体２３とを備えて構成されている。他方取付板２１には、ドア４の側端面５に取付けるためのビス２４が挿通される取付穴２５が行列状に複数（実施の形態では６つ）形成されている。
【００２２】
一方ヒンジ片１０の一方取付板１１及び他方ヒンジ片２０の他方取付板２１は、同じ形状で同じ大きさの矩形状に形成され、互いに厚さが同じに形成されている。また、一方取付板１１及び他方取付板２１は、これらがドア４に取付けられた際のドア４の閉時に、上から見て、一方取付板１１の一方中心線Ｐ１と、他方ヒンジ片２０の他方取付板２１における面方向の他方中心線Ｐ２とが重畳するように形成されている。
【００２３】
そして、一方ヒンジ片１０がドア枠１に取付けられ他方ヒンジ片２０がドア４に取付けられた際、上から見て、一方ヒンジ片１０の軸体１２及び他方ヒンジ片２０の軸受体２３の回転中心Ｑが、一方ヒンジ片１０の一方取付板１１における面方向の一方中心線Ｐ１よりもドア枠１の見付け面２がある側に位置するように、軸体１２は一方取付板１１に設けられ、軸受体２３は他方取付板２１に設けられている。
【００２４】
また、上から見て、一方中心線Ｐ１に直交する方向の一方中心線Ｐ１から回転中心Ｑまでの距離Ｄが、Ｄ＝１０ｍｍ以上に設定されている。
実施の形態では、本ヒンジ装置Ｈは、図４及び図５に示す上記従来のヒンジ装置Ｈａと同等の大きさのものであり、回転中心Ｑは、この従来の一方中心線Ｐ１上の回転中心Ｑａを通りこの一方中心線Ｐ１に直交する直交線Ｖ上に設定されている。必ずしも、この直交線Ｖ上に設定することに限定はされない。即ち、回転中心Ｑは、ドア４の側端面５のあるドア４の内周面側のコーナ部Ｃにおいて、シール部材６に当接する際、ドア４を閉じた際のドア４の内面に沿う線Ｓに対してコーナ部Ｃの回転中心Ｑを中心として回動する回転軌跡Ｔの角度が、従来の回転軌跡Ｔａよりも大きくなるように設定している。
【００２５】
また、本ヒンジ装置Ｈにおいては、一方ヒンジ片１０に対する他方ヒンジ片２０の上下方向位置を調整可能にする調整ネジ３０が備えられている。軸受体２３の挿通孔２２には雌ネジ３１が形成されており、調整ネジ３０は、この雌ネジ３１に螺合される雄ネジ３２を有するとともにこの雄ネジ３２の螺合により軸体１２の先端１２ａに当接する先端部３３を備えて構成されている。調整ネジ３０の基端には、六角レンチ（図示せず）が挿入されるレンチ穴３４が形成されており、レンチによって回動させることにより、雄ネジ３２の螺合による先端部３３の位置を変えて、一方ヒンジ片１０に対する他方ヒンジ片２０の上下方向位置を調整可能にしている。軸体１２の先端１２ａは、円弧状の凸面に形成されている一方、調整ネジ３０の先端部３３は、軸方向に直交する平面に形成されている。
【００２６】
また、調整ネジ３０を押圧してロックするためのロックネジ４０が備えられている。軸受体２３を構成する壁部には、雌ネジ３１の中心線に直交する軸線を有しロックネジ４０が螺合する雌ネジ４１が形成されている。
【００２７】
従って、この実施の形態に係るヒンジ装置Ｈを取り付けるときは、一方ヒンジ片１０の一方取付板１１をビス１３によりドア枠１の見込み面３に取付け、他方ヒンジ片２０の他方取付板２１をビス２４によりドア４の側端面５に取付け、その軸受体２３を一方ヒンジ片１０の軸体１２に挿入する。そして、六角レンチを調整ネジ３０のレンチ穴３４に挿入して調整ネジ３０を回動させ、調整ネジ３０の先端部３３の位置を変えて、一方ヒンジ片１０に対する他方ヒンジ片２０の上下方向位置を調整する。そのため、ドア４をドア枠１の適正位置に位置決めでき、ヒンジ装置Ｈの機能性を向上させることができる。
【００２８】
また、ロックネジ４０をねじ込んで調整ネジ３０を押圧してロックする。ロックネジ４０により調整ネジ３０をロックするので、緩みを防止することができ、一方ヒンジ片１０に対する他方ヒンジ片２０の上下方向位置の設定を確実に保持することができる。
【００２９】
このように本実施の形態に係るヒンジ装置Ｈが取付けられた本実施の形態に係るドア構造Ｋによれば、ドア４をヒンジ装置Ｈを介して回動させる。この場合、軸体１２の先端１２ａを円弧状の凸面に形成し、調整ネジ３０の先端部３３を軸方向に直交する平面に形成したので、軸体１２の先端１２ａが調整ネジ３０の先端部３３の平面に点接触することになり、そのため、回転が軽くなって円滑に行われ、耐久性も向上させることができる。ドア４を開いた状態からドア４を閉じると、ドア４の内周面がシール部材６に弾接し、遮音性が確保される。
【００３０】
このドア４を閉じる際には、図１に示すように、ドア４の側端面５のあるドア４の内周面側のコーナ部Ｃが、軸体１２及び軸受体２３の回転中心Ｑを中心にした円弧に沿って移動し、シール部材６に当接しながら摺接するが、従来の一方中心線Ｐ１上に回転中心Ｑａがあるものに比較して、回転中心Ｑが一方中心線Ｐ１よりもドア枠１の見付け面２がある側に位置しているので、コーナ部Ｃがシール部材６に当接する際、ドア４を閉じた際のドア４の内面に沿う線Ｓに対してコーナ部Ｃの回転中心Ｑを中心として回動する回転軌跡Ｔの角度が、従来の回転軌跡Ｔａの角度よりも大きくなることから、シール部材６の側面を押してこじるように作用する事態を防止することができる。そのため、シール部材６に可能な限り悪影響を与えないようにして、シール部材６のシール性能の低下防止を図り、耐久性を保持することができるようになる。
【００３１】
尚、上記実施の形態に係るヒンジ装置Ｈの各部の形状や大きさは上述した形状や大きさに限定されないことは勿論である。また、実施の形態に係るヒンジ装置Ｈは、種々の形態のドアやドア枠に適用できることは勿論である。当業者は、本考案の新規な教示及び効果から実質的に離れることなく、これら例示である実施の形態に多くの変更を加えることが容易であり、これらの多くの変更は本考案の範囲に含まれる。
【符号の説明】
【００３２】
Ｋ  ドア構造
Ｈ  ヒンジ装置
１  ドア枠
２  見付け面
３  見込み面
４  ドア
Ｃ  コーナ部
５  側端面
６  シール部材
１０  一方ヒンジ片
１１  一方取付板
１２  軸体
１２ａ  先端
１３  ビス
１４  取付穴
１５  支持体
２０  他方ヒンジ片
２１  他方取付板
２２  挿通孔
２３  軸受体
２４  ビス
２５  取付穴
Ｐ１  一方中心線
Ｐ２  他方中心線
Ｑ  回転中心
Ｑａ  従来の回転中心
Ｖ  直交線
Ｓ  ドアを閉じた際のドアの内面に沿う線
Ｔ  コーナ部の回転軌跡
Ｔａ  コーナ部の従来の回転軌跡
３０  調整ネジ
３１  雌ネジ
３２  雄ネジ
３３  先端部
３４  レンチ穴
４０  ロックネジ
４１  雌ネジ
【図１】
0003235352.tif 000003
【図２】
0003235352.tif 000004
【図３】
0003235352.tif 000005
【図４】
0003235352.tif 000006
【図５】
0003235352.tif 000007